(57)【要約】      （修正有）【課題】時間が経っても紫外線を含む太陽照射による日焼けを阻止する効果が持続し、息苦しさを改善し、尚且つ会話が円滑に進むように工夫された日除け用マスクを提供する。【解決手段】柔軟な表面布１と柔軟な裏面布とが互いに重ねて周囲縫合されることで内部空間を形成してなるマスク主体を有し、マスク主体の左右両端にそれぞれ掛け輪状の耳掛け部３、マスク主体の左右の上縁部に延出部１２が設けられる。表面布１及び裏面布の略中央の口相当位置に開口部が設けられ、表面布１及び裏面布の間にて開口部を部分的に覆設され、少なくとも一部がメッシュ材で構成されるメッシュ布５と、メッシュ布５よりも表面側にて開口部を覆設可能に一部固定され、略同一形状の表面材と裏面材とが重ねられて縫合構成される表面ふた部６とを具備する。【選択図】図１
0003180805.tif 000002
【実用新案登録請求の範囲】
【請求項１】
柔軟な表面布と柔軟な裏面布とが互いに重ねて周囲縫合されることで内部空間を形成してなるマスク主体と、
マスク主体の左右両端にそれぞれ掛け輪状に設けられる耳掛け部と、マスク主体の左右の上縁部にそれぞれ頬骨位置から目じり位置へ向かって緩やかに上方延出する延出部と、
前記表面布及び前記裏面布の略中央の口相当位置に設けられた開口部と、
前記表面布及び裏面布の間にて前記開口部を部分的に覆設され、少なくとも一部がメッシュ材で構成されるメッシュ布と、
前記メッシュ布よりも表面側にて前記開口部を覆設可能に一部固定され、略同一形状の表面材と裏面材とが重ねられて縫合構成される表面ふた部とを具備して構成される日除け用マスクであって、
前記表面ふた部は、
開口部周囲の一方から他方へ前記開口部を覆うように拡げられることで、装着時に開口部を覆った覆設状態を維持し得ると共に、表面ふた部の前面に設けられた係止手段で前記表面布に係止することで、開口部を覆わない非覆状態を維持し得ることを特徴とする日除け用マスク。
【請求項２】
前記表面布の表面材及び前記表面ふた部の表面材は、共に紫外線遮断性を有する同一の装飾布で構成される請求項１に記載の日除け用マスク。
【請求項３】
前記表面布及び前記表面ふた部の表面が紫外線遮断性を有さない装飾布で構成され、前記表面布と前記裏面布の間と、前記表面ふた部の表面と裏面の間に紫外線遮断性を有する中間布を構成された前記請求項１または２に記載の日除け用マスク。
【請求項４】
前記裏面布は、タオル地布で構成される請求項１から３のいずれかに記載の日除け用マスク。
【請求項５】
前記マスク下縁の左右対称位置に縫い合わせ部を形成することで、鼻底面側に下方への開放空間を現出させる請求項１から４のいずれかに記載の日除け用マスク。
【請求項６】
前記マスクの左右両側にそれぞれに掛け輪を縫着し、左右の掛け輪によって後頭部を亘って巻き着ける後ろ掛け部を設け、日除け用マスクが落ちないように保持する請求項１から５のいずれかに記載の日除け用マスク。
【考案の詳細な説明】
【技術分野】
【０００１】
当考案は、屋外、屋内及び車内において太陽照射による紫外線を遮断及び防止するための日除け用マスクに関する。
【背景技術】
【０００２】
従来、車や自転車を運転時、屋外での作業や買い物での外出時など日常生活において紫外線を含む太陽照射による日焼けを阻止するためには、日焼け止め剤などを塗って対応していた。しかし、時間とともにその効果は薄れ何度も塗り直しが必要であった。塗り直しのためには常時日焼け止め剤などを持ち歩かなければならなく、加えて一定の時間ごとに塗り直すといった手間がかかるなどの問題点があった。これに関し、屋外での活動時における日焼けを防止するための日除け用マスクとして、表面側に遮光布を取り付けたものが開示される（特許文献１）。
【先行技術文献】
【特許文献】
【０００３】
【特許文献１】実用新案登録第３１５４５４５号公報
【考案の概要】
【考案が解決しようとする課題】
【０００４】
しかしながら、上記従来のマスクは息苦しく、話す内容が聞き取れにくいなどの問題点
があった。以上の内容を改善することを目的とするため本考案は、日焼け防止をすることができ、呼吸困難・息苦しさが発生するのを防止することができ、更には外観的な見栄えも良く優れたファッション性も発揮することができる日除け用マスクを提供することを課題とする。
【課題を解決するための手段】
【０００５】
上記課題を解決するため、本考案では以下の手段を講じている。
（１）本考案の日除け用マスクは、柔軟な表面布１と柔軟な裏面布２とが互いに重ねて周囲縫合されることで内部空間を形成してなるマスク主体と、
マスク主体の左右両端にそれぞれ掛け輪状に設けられる耳掛け部３と、
マスク主体の左右の上縁部にそれぞれ頬骨位置から目じり位置へ向かって緩やかに上方延出する延出部１２と、
前記表面布１及び前記裏面布２の略中央の口相当位置に設けられた開口部と、
前記表面布１及び前記裏面布２の間にて前記開口部を部分的に覆設され、少なくとも一部がメッシュ材で構成されるメッシュ布５と、
前記メッシュ布５よりも表面側にて前記開口部を覆設可能に一部固定され、略同一形状の表面材と裏面材とが重ねられて縫合構成される表面ふた部６とを具備して構成される日除け用マスクであって、
前記表面ふた部６は、
開口部周囲の一方から他方へ前記開口部を覆うように拡げられることで、装着時に開口部を覆った覆設状態Ｓ２を維持し得ると共に、表面ふた部６の前面に設けられた係止手段で前記表面布１に係止することで、開口部を覆わない非覆状態Ｓ１を維持し得ることを特徴とする日除け用マスク。
（２）前記表面布１の表面材及び前記表面ふた部６の表面材は、共に紫外線遮断性を有する同一の装飾布で構成されることが好ましい。
（３）前記表面布１及び前記表面ふた部６の表面が紫外線遮断性を有さない装飾布で構成され、前記表面布１と前記裏面布２の間と、前記表面ふた部６の表面と裏面の間に紫外線
遮断性を有する中間布を構成されることが好ましい。
（４）上記いずれかに記載の日除け用マスクにおいて、前記裏面布２は、タオル地布で構成されることが好ましい。
（５）上記いずれかに記載の日除け用マスクにおいて、前記マスク下縁の左右対称位置に縫い合わせ部８を形成してなり、この縫い合わせ部８によって前記ふた部にて前記開口部を覆う覆設状態Ｓ２と、開口部を覆わない非覆状態Ｓ１の装着時において、いずれも鼻底面側に下方への開放空間７Ｓを現出させることが好ましい。  
（６）上記いずれかに記載の日除け用マスクにおいて、前記表面布１又は前記裏面布２の左右両側にそれぞれ掛け輪９を縫着してなり、これら左右の掛け輪９にそれぞれ接続され、装着者の後頭部を亘る後ろ掛け部をさらに設け、後ろ掛け部を後頭部に巻き付けることで日除け用マスクが落ちないように保持するものであることが好ましい。
【０００６】
前記表面ふた部６は、開口部に設けられた前記メッシュ布５が見えている開口部非覆設
状態Ｓ１となった場合、開口部はメッシュ布５で開口部の下側おおよそ３分の２を覆っている状態となるが、マスク装着時において息苦しさを感じず、会話の際、相手に会話の内容が開き取れにくくなるという状態は改善される。
また、前記表面ふた部６は、前記表面布１の端部近傍位置に固定手段１３を設け、固定させることによって開口部覆設状態Ｓ２が維持されることにより開口部を覆う表面ふた部６は、風や顔の動きによって、定位置からずれることがないので、日除けを優先した場合その優れた効果を発揮することができる。
【考案の効果】
【０００７】
上記手段により、時間が経っても紫外線を含む太陽照射による日焼けを阻止する効果が持続し、息苦しさを改善し、尚且つ会話が円滑に進むように工夫された日除け用マスクを提供することができた。
【図面の簡単な説明】
【０００８】
【図１】実施例１の日除け用マスクの第一の使用形態を示す正面図。
【図２】実施例１の図１において表面ふた部で開口部を覆設した状態の日除け用マスクの第二の使用形態を示す正面図。
【図３】実施例１の日除け用マスクの第二の使用形態を示す背面図。
【図４】実施例１の日除け用マスクの第二の使用形態を示す底面上方斜視図。
【図５】実施例１の日除け用マスクの第二の使用形態を示す平面上方斜視図。
【図６】実施例１の日除け用マスクの使用形態を示す右側面上方斜視図。
【図７】実施例１の日除け用マスクの第一の使用形態構成を示す左側面上方斜視図。
【考案を実施するための形態】
【０００９】
以下に、図面を参考にしつつ本考案の好ましい実施の形態を示す。本考案の日除け用マ
スクは基本的に、
マスク主体の表面を構成する表面材からなる柔軟な表面布１と、
マスク主体の裏面を構成する裏面材からなり、前記表面布１に対して重ねられ周囲にて縫合されることで表面布１との間に内部空間を形成する柔軟な裏面布２と、
前記表面布１及び前記裏面布２で扶持固定されるように前記表面布１及び前記裏面布２の左右両端にそれぞれ掛け輪状に配置される耳掛部３と、
マスク主体の左右の上縁部にそれぞれ頬骨位置から目じり位置へ向かって緩やかに上方延出する延出部１２と
前記表面布１及び前記裏面布２の略中央であって装着時の口相当位置に設けられた通気用の開口部と、
前記開口部を覆設可能として前記表面布１及び前記裏面布２の間にて前記開口部を部分的に覆設され、少なくとも一部がメッシュ材で構成されるメッシュ布５と
前記メッシュ布５よりも表面側にて前記開口部を覆設可能に一部固定され、略同一形状の表面材と裏面材とが重ねられて縫合構成される表面ふた部６とで構成される。
【００１０】
前記表面ふた部６は、前記開口部の周囲四方（上下左右を含む）のいずれかの近傍位置
にて一部固定されてなり、開口部を覆う覆設状態Ｓ２と、開口部を覆わない非覆状態Ｓ１との二通りの状態に切り替えて各状態を維持することができる。具体的に維持する方法としては、前記表面ふた部６を固定されていない他方に、表面及び裏面のほぼ同一か所に面ファスナー、ボタンなどの固定手段１３を用いて前記表面布１に固定することが好ましい。
【００１１】
表面ふた部６を開口部覆設状態Ｓ２とすることで図２に示す第二の使用状態とすること
ができる。また、表面ふた部６を開口部非覆状態Ｓ１とし前記メッシュ布５が見えているようにすることもできる。以下、実施例として示す各図とともに説明する。
【実施例１】
【００１２】
図１〜図７に示す本考案の実施例１の日除け用マスクは、開口部の正面視向かって右側近傍にて表面ふた部６がマスク主体に部分固定され、開口部の下側おおよそ３分の２はメッシュ布５で覆って互いに覆う位置で重なるように配される。
【００１３】
（マスク主体）
互いに重ねられて周縫合された前記表面布１と前記裏面布２とによって、装着者の顔の目から下部を覆うマスク主体が構成される。前記表面布１と前記裏面布２はそれぞれの周部同士が縫合されることで、マスク主体内に内部空間が形成される。
【００１４】
（開口部）
マスク主体の略中央であって口相当部には、横長楕円形の開口部が構成される。この開口部は具体的には、前記表面布１に形成された表開口４１と、前記裏面布２のうち表開口４１と略同位置に形成された裏開口４２とからなる。表開口４１周縁と裏開口４２周縁とは前記メッシュ布５が開口部の下側おおよそ３分の２を覆って挟み縫合され、そうすることにより鼻呼吸がしやすいように開口部の上部に前記メッシュ布で覆っていない箇所、開放空間７Ｓができる。開口部が前記メッシュ布５のみで覆われている状態は非覆状態Ｓ１となる。
【００１５】
（表面布１）
前記表面布１は遮光性を有する布で構成される。少なくとも表側が、所定の装飾模様又は着色を施された装飾布からなり、マスク主体の表面を構成する。これにより、日焼けしやすい顔を日除けする効果を発輝することができる。前記表面布１は、遮光性に加えて紫外線遮断性を有する布とすることができる。前記表面布１はまた、遮光性を有さない布、紫外線遮断性を有さない布からなる場合もある。
【００１６】
（表面ふた部６）
表面ふた部６は、口相当部に構成された横長楕円形の開口部上部に鼻呼吸がしやすいよ
うに前記メッシュ布５で覆っていない開放空間７Ｓを残し、その他の部分を前記表面布１と同質の素材でできている表面ふた部６で覆う。設置個所は、前記メッシュ布５の同一箇所に重なるように表面ふた部６は配置されることになる。また、表面ふた部６の形は、横長楕円形、丸型、長方形など、開口部の覆設状態Ｓ２が維持できる形を用いて前記表面布１に固定する。表面ふた部６が取れないように前記表面布１の口相当部にあたる近傍付近の一側方で前記表面布１と一体的に連結構成される。
【００１７】
表面ふた部６で開口部を覆った覆設状態Ｓ２でも、開口部に前記メッシュ布５で覆って
いない箇所が、開口部上部の鼻の穴部分に開放空間７Ｓが出現しているので、鼻呼吸ができる空間が確保できている。よって呼吸がしやすくなることがわかる。
【００１８】
（延出部１２）
マスク主体の左右の上縁部１１は、それぞれ頬骨位置から目じり部位置へ向かって緩やかに上方延出する延出部１２を有する。上縁の両側部にはそれぞれ装着時に頬骨を覆う延出部１２が上方へ延出形成される。この延出部１２の形成により、紫外線を含む太陽照射の影響を最も受けやすい装着者の頬骨から目じり部を覆い、これら部位の日焼けを確実に防ぐことができる。
【００１９】
（縫い合わせ部８）
また地面からの照り返しによる日焼けを防止するため、マスク主体の下縁には左右対称
位置に一対または複数対の縫い合わせ部８が上方へ伸びて形成される。各縫い合わせ部は下縁から上方に向かって折りたたんで縫い合わせる。または、マスク主体に下縁から開口部の両側部あたりまでに一対、または複数対の切欠けを形成してもよい。この縫い合わせ部８によって、前記表面ふた部６にて前記開口部を塞いだ状態の装着時において、鼻底面側に下方への略三角形の開放空間７Ｓが出現することとなる。
【００２０】
（裏面布２）
前記裏面布２には汗を吸収しやすく肌触りを良くするためにタオル地を使用している。前記裏面布２は、前記表面布１と同じ外形の布を用いてなり、前記表面布１の開口部、表開口４１と形成個所が重なる位置に設け、その開口部が裏開口４２となる。
【００２１】
（耳掛部３）
耳掛部３はマスク主体の左右両側にそれぞれ設けられており、頭部又は左右それぞれの耳に掛けることで、マスクが落ちないように保持する。図１〜７の実施例では、平ゴム（板状のゴム片）からなる耳掛け輪を左右それぞれ縫着している。他に、丸型断面のゴム紐からなるものや、左右を亘って後頭部にて着ける布材からなるものとしてもよい。
【００２２】
（日焼け防止を重視した使用方法）
特に日焼け防止を重視した第二の使用形態においては、表面ふた部６で開口部は塞がれ
ているためマスク自体が鼻呼吸の妨げとなり、このままだと従来のマスク同様、呼吸しにくい状態になるが、開口部上部の鼻の穴部分に開放空間７Ｓが出現しているので日焼け防止重視で使用しても呼吸が妨げられない。
【００２３】
（メッシュ布５）
また、前記マスクのロ開口部を覆う為にメッシュ布５を設けることにより、顔の大部分を覆面化することにおいて、ロ開口部が全く遮られず唇の動きばかり目立ってしまい更に露骨に見えてしまうのをカムフラージュするためメッシュ布５を用いたのが好ましく、見た目の悪さを軽減し視線をそらすことができる。
【００２４】
メッシュ布５は具体的には、前記表面布１と前記裏面布２の口相当部に構成されている
。開口部の上部の一部である開放空間７Ｓは、鼻呼吸が容易にできやすくする為全体の４分の一相当にあたる部分を開放空間７Ｓとし、下へ４分の３を占める部分をメッシュ布で覆い周囲を縫合する。メッシュ５は、プラスティック（実施例では黒色）または化学繊維からなる。開放空間７Ｓを設ける事によりメッシュ布５で、開口部をすべて覆設状態にするより鼻呼吸がしやすくする効果がある。  
【００２５】
図２では前記表面布１と前記裏面布２の口相当部に設けられている横長楕円形の開口部
と重なる領域を、その部分を完全に覆うような大きさの横長楕円形の表面ふた部６が、一
側方で前記表面布１と一体的に連結構成される。表面ふた部６の表面、裏面には前記表面布１と同じ布を用い、横長楕円形の開口部を覆う。そうすることにより図２に示すように正面からみた場合、開口部が表面布１と同じ布で塞がれているので、ロ開口部が確認しづらく尚且つ違和感が感じられない。表面ふた部６を外側に折り返すと、開口部に設けられたメッシュ布５と、開放空間７Ｓで使用できる図１で示す第一の使用形態となる。
【００２６】
前記マスク主体の前記表面布１と、前記裏面布２に用いているタオル地との結合は、糸による縫合、接着剤による接合等いずれでもよい。
【００２７】
（第一の使用形態）
図１は、実施例１のマスクにおいて第一の使用形態を示す正面図である。マスク中央の
開口部に設けられているメッシュ布５を表面ふた部６で塞がず、開口部を左右に亘った非覆状態Ｓ１となっており、表面ふた部６は、縫い合わせ部８を軸に反対側に折り返されているので会話がスムーズにでき、尚且つ鼻呼吸では息苦しさを感じる時など不快感を軽減する役割を果たす。また、表面ふた部６には固定手段１３として面ファスナーが設けられており、開口部非覆状態Ｓ１及び開口部覆設状態Ｓ２を簡易に切り替えることができる。
【００２８】
前記表面布１の素材は、綿、ナイロン、ポリエステル等の１種または混紡の繊維からな
る綿布、織布、不織布等の柔軟な素材からなり、遮光の特性を持つ布であり紫外線を含む太陽照射による日焼けを阻止する効果がある。しかし、紫外線遮断性を有さない布を使用した場合は、表面布と裏面布の中間に挟み込み遮光効果を持たすようにする。また、前記表面布１は用途に応じて、各種色つき布、模様つき布等で形成することもできる。そうすることにより個人の好みに合うように日除け用マスクを選び、ファッション性を高め、従来の味気ないマスクを使用することに抵抗がある消費者に装着意欲を起こさせ、紫外線による肌トラブルを回避させる。
【００２９】
縫い合わせ部８によりマスクを顔の凹凸に沿わせ、下縁の幅が上部より狭くなる。その余分な幅を鼻のあたりに意図的に生じさせ、表面ふた部６で開口部を塞いだ第二の使用形態において、鼻先に新たな三角形の鼻の穴部分の開放空間７Ｓを出現させることができる（図４）。これにより息のしやすさを確保できると共に、開口部と日除けマスクの間に、より一層空間が生じ、呼吸がしやすい状態を保つ効果を発揮する。
【００３０】
（第二の使用形態）
図２は、実施例１のマスクにおいて第二の使用形態を示す正面図である。マスク中央の
開口部に設けられているメッシュ布を、表面ふた部６で塞ぎ開口部覆設状態Ｓ２となり、日焼け防止の目的を重視した使用例となる。
【００３１】
第一使用形態においては、前記表面布１の中央にある開口部を、メッシュ布５で塞ぐこ
とにより、顔の大部分を覆面化したときに、開口部内の唇の動きが露骨に見えてしまうのをカムフラージュすることができる。すなわちメッシュ布５で開口部を覆うことで、見た目の悪さを軽減し視線をそらすことができる効果がある。また、従来のマスクは息苦しく、話す内容が聞き取りにくい等の不便さがあったが、メッシュ布５を用いることにより改善される。
【００３２】
なお上記日除けマスクにおいて、前記表面布１と前記裏面布２との間と、表面布と同じ布で表面・裏面で構成される表面ふた部の間にも、遮光性を有する中間布をさらに設置してもよい（図示せず）。
【００３３】
また日除け用マスクは、図１，２に示すように、マスク主体の左右両側にそれぞれ、耳
掛部３よりも短い非弾性材または弾性材を用いて掛け輪９を縫着してなる。これら左右の
掛け輪９にそれぞれ接続され、装着者の後頭部を亘る後ろ掛け部をさらに設けたものである。たとえば後ろ掛け部を後頭部に巻き付けることで、耳掛部３を使わなくても日除け用マスクが落ちないように保持することができる。この掛け輪９は非装着時の吊り下げ輪にもなり、弾性材からなる耳掛部３と分けて使用することで、耳掛部３の弾性疲労を抑制することができる。
【００３４】
その他本考案は上述した実施例に限定されず、考案の趣旨を逸脱しない範囲で種々の形
態変更、配設位置変更、一部構成の省略、材質変更が可能である。例えば表面ふた部６は四方周囲のうち上部または下部で一部固定されていてもよく、あるいは互いに四方周囲の異なる位置で固定されていてもよい。
【符号の説明】
【００３５】
１  表面布
２  裏面布
３  耳掛部
５  メッシュ布
６  表面ふた部  
７Ｓ開放空間    
８縫い合わせ部
９  掛け輪
１１上縁部
１２  延出部
１３固定手段
４１  表開口
４２  裏開口
Ｓ１開口部非覆状態
Ｓ２開口部覆設状態
【図１】
0003180805.tif 000003
【図２】
0003180805.tif 000004
【図３】
0003180805.tif 000005
【図４】
0003180805.tif 000006
【図５】
0003180805.tif 000007
【図６】
0003180805.tif 000008
【図７】
0003180805.tif 000009